(57)【要約】【課題】制御回路を安定して駆動すること。【解決手段】端末装置１０は、ＩＣカード３０を挿入する開口を有するポケット１２１ｃを備えるホルダ１２ｃと、ホルダ１２ｃに対し折り畳み部１２ａを挟んで配置されＩＣカード３０から情報を読み取る制御回路１００が配置されるホルダ１２ｂとを備え、折り畳み部１２ａにより折り畳み可能なケース１２と、折り畳み部１２ａが折り畳まれたときに、ホルダ１２ｂとホルダ１２ｃとを固定するスナップ１１ａ、１１ｂ、１３ａ、１３ｂを有し、固定により制御回路１００を駆動させる。【選択図】図２
2011113131.tif 000002
【特許請求の範囲】
【請求項１】
ＩＣカードを挿入する開口を有するカード収納部を備える第１のホルダと、前記第１のホルダに対し折り畳み部を挟んで配置され前記ＩＣカードから情報を読み取る制御回路が配置される第２のホルダとを備え、前記折り畳み部により折り畳み可能なケースと、
前記折り畳み部が折り畳まれたときに、前記第１のホルダと前記第２のホルダとを固定する固定部を有し、前記固定部の固定により前記制御回路を駆動させる駆動部と、
を有することを特徴とする端末装置。
【請求項２】
前記固定部は、前記第１のホルダに設けられ導電性を有する第１の係合部材と、前記制御回路の終端に接続され、導電性を有し前記第１の係合部材と係合する第２の係合部材とを有しており、
前記駆動部は、前記第１の係合部材と前記第２の係合部材との係合により前記終端が短絡すると、前記制御回路を駆動させることを特徴とする請求項１記載の端末装置。
【請求項３】
前記固定部は、前記第１のホルダに設けられた被吸着体と、前記制御回路の終端に接続され、前記被吸着体を磁気的に吸着する吸着部とを有しており、
前記駆動部は、前記吸着部の吸着により前記終端が短絡すると、前記制御回路を駆動させることを特徴とする請求項１記載の端末装置。
【請求項４】
前記制御回路に電気的に接続され、前記折り畳み部が折り畳まれた状態で外部から視認可能な表示手段をさらに有し、
前記制御回路は、駆動開始時に、前記ＩＣカードが前記カード収納部に挿入されているか否かを示す情報を前記表示手段に表示することを特徴とする請求項１ないし３のいずれかに記載の端末装置。
【請求項５】
前記制御回路は、駆動開始時に、前記ＩＣカードが前記カード収納部に挿入されていない場合に報知する報知手段を有することを特徴とする請求項１ないし４のいずれかに記載の端末装置。
【発明の詳細な説明】
【技術分野】
【０００１】
本発明は端末装置に関する。
【背景技術】
【０００２】
例えば、医療、流通等の分野において、患者や顧客の情報を管理する管理システムが知られている。
このシステムでは、例えば、患者のＩＤ等を保存したＩＣカードをカードケースに挿入し、カードケースに備え付けられた制御回路からサーバ装置にＩＣカードの情報を送信することにより、患者に情報（待ち人数や、診療場所）等を通知すること等が行われている。
【０００３】
制御回路とサーバ装置間での通信には電力が必要であるが、ＩＣカードが挿入されたときに制御回路に電力が供給される機構が知られている。
例えば、ＩＣカードをカードケースに挿入することにより、そのＩＣカードで電力供給用のスイッチを押下させ、スイッチが押下されているときに制御回路に電力を供給する方法が知られている。これにより、ＩＣカードが挿入されていないときには制御回路に電力が供給されないので、装置の無駄な電力の消費を抑制することができる。
【先行技術文献】
【特許文献】
【０００４】
【特許文献１】特開２００８−２５０９４２号公報
【発明の概要】
【発明が解決しようとする課題】
【０００５】
しかしながら、電源スイッチをＯＮし続けるためには、ＩＣカードを所定の位置に支持しておく必要がある。このため、ケースにある程度の精度を有する支持機構を設ける必要がある。
【０００６】
また、振動等により、ＩＣカードの位置がずれると、電源スイッチとの接触が外れ、制御回路への電力の供給が停止するという問題があった。
本発明はこのような点に鑑みてなされたものであり、制御回路を安定して駆動することができる端末装置を提供することを目的とする。
【課題を解決するための手段】
【０００７】
上記目的を達成するために、開示の端末装置が提供される。この端末装置は、ケースと、制御回路と、駆動部とを有している。
ケースは、ＩＣカードを挿入する開口を有するカード収納部を備える第１のホルダと、第１のホルダに対し折り畳み部を挟んで配置されＩＣカードから情報を読み取る制御回路が配置される第２のホルダとを備え、折り畳み部により折り畳み可能となっている。
【０００８】
駆動部は、折り畳み部が折り畳まれたときに、第１のホルダと第２のホルダとを固定する固定部を有し、固定部の固定により制御回路を駆動させる。
【発明の効果】
【０００９】
開示の端末装置によれば、制御回路を安定して駆動することができる。
【図面の簡単な説明】
【００１０】
【図１】実施の形態の端末装置の概要を示す図である。
【図２】端末装置の構造を示す図である。
【図３】制御回路のハードウェア構成例を示す図である。
【図４】制御回路の機能を示すブロック図である。
【図５】制御回路の動作を示すフローチャートである。
【図６】制御回路を起動するときの動作を示す図である。
【図７】制御回路を起動するときの動作を示す図である。
【図８】端末装置の変形例を示す図である。
【図９】端末装置の変形例を示す図である。
【発明を実施するための形態】
【００１１】
以下、実施の形態を、図面を参照して詳細に説明する。
図１は、実施の形態の端末装置の概要を示す図である。なお、図１は、端末装置１０が有する各構成要素の機能を説明する図である。各構成要素の位置関係は、後述する。
【００１２】
端末装置１０は、装置本体１１と、ケース１２とを有している。
装置本体１１は、ケース１２内に配置されている。
装置本体１１は、制御回路１００と電子ペーパー（表示手段）１０４ａとを有している。
【００１３】
制御回路１００は、ＩＣカード３０がケース１２の後述する所定の箇所に配置された状態で電源が供給されると、ＩＣカード３０に予め記憶されている情報を読み取り、サーバ装置２０に送信する機能を有している。
【００１４】
また、制御回路１００は、サーバ装置２０から情報を受信すると、その情報を、電子ペーパー１０４ａに表示する機能を有している。
電子ペーパー１０４ａは、制御回路１００に電気的に接続されている。この電子ペーパー１０４ａは、書き換え時のみ電力を消費するデバイスであり、青色、緑色、赤色の液晶層を有している。各液晶層の前後の透明電極に電圧をかけ、液晶分子の向きを変えることで反射状態を切替えることができる。
【００１５】
ケース１２は、少なくとも電子ペーパー１０４ａに対応する部位が透明な材料（例えば、透明な樹脂）で構成され、ケース１２内に配置された状態で、外部から電子ペーパー１０４ａに表示された情報が視認可能になっている。
【００１６】
ケース１２の構成材料としては特に限定されないが、例えば、ポリエステル、ポリエチレン、ポリプロピレン、ポリアミド（ナイロン）、ポリスチレン、ポリ塩化ビニル、アクリル系樹脂、紙類、布、革あるいはこれらを複合した材料等が挙げられる。
【００１７】
図２は、端末装置の構造を示す図である。
装置本体１１は、制御回路１００と、電子ペーパー１０４ａに加え、導電性を有する押しホック等のスナップ（第２の係合部材）１１ａ、１１ｂと、電源１１ｃと、アンテナ１１ｄとを有している。なお、図２では、電子ペーパー１０４ａは、装置本体１１の紙面奥側に制御回路１００と一体的に配置されている。
【００１８】
スナップ１１ａは、電源１１ｃに電気的に接続されている。スナップ１１ｂは、制御回路１００に電気的に接続されている。
スナップ１１ａ、１１ｂは、それぞれ、後述するスナップ１３ａ、１３ｂと係合するための凹部１１１ａ、１１１ｂを有している。
【００１９】
電源１１ｃは、一端側が、スナップ１１ａに電気的に接続されている。他端側が制御回路１００に電気的に接続されている。電源１１ｃは、例えば、リチウムイオン電池等を有しており、スナップ１１ａ、１１ｂ間が短絡することで、制御回路１００に駆動電圧を供給する。
【００２０】
アンテナ１１ｄは、制御回路１００に電気的に接続されている。このアンテナ１１ｄは、制御回路１００から出力された情報をサーバ装置２０に送信する機能を有している。また、サーバ装置２０から出力された情報を受信する機能を有している。
【００２１】
制御回路１００は、装置本体１１を制御する機能を有している。
制御回路１００は、電源１１ｃから駆動電圧が供給されると、ＩＣカード３０に記憶されている情報を取得し、取得した情報を、アンテナ１１ｄを介してサーバ装置２０に送信する。また、アンテナ１１ｄを介してサーバ装置２０から情報を受信すると、表示が必要な情報を電子ペーパー１０４ａに表示させる。
【００２２】
ケース１２は、中央部に可撓性を有する折り畳み部１２ａを有している。折り畳み部１２ａには、折り目１２１ａが設けられており、この折り目１２１ａを介してケース１２が折り畳めるようになっている。
【００２３】
ケース１２は、折り目１２１ａを介して一方に、装置本体１１を保持するホルダ（第２のホルダ）１２ｂを有し、他方に、ＩＣカード３０を保持するホルダ（第１のホルダ）１２ｃを有している。また、ホルダ１２ｃの上部には、導電部１３が設けられている。
【００２４】
なお、本実施の形態では、ケース１２の折り畳み部１２ａが可撓性を有するものとしたが、これに限らず、ホルダ１２ｂとホルダ１２ｃとが開閉可能に連結された折り畳み型のケースであればよく、例えば、蝶番等により折り畳めるようになっていてもよい。
【００２５】
ホルダ１２ｂは、有底のポケット（収納部）１２１ｂを有している。装置本体１１は、ケース１２に対し着脱可能になっており、装置本体１１が挿入口１２２ｂから図２に示す挿入方向に従ってポケット１２１ｂに挿入されることで、装置本体１１がポケット１２１ｂにより保持される。
【００２６】
ポケット１２１ｂのスナップ１１ａ、１１ｂに対応する部位には、開口（図示せず）が設けられている。スナップ１１ａ、１１ｂは、この開口から一部が露出している。
なお、挿入口１２２ｂには、装置本体１１の取り出しを防止する機構（ファスナー等）が設けられていてもよい。なお、図２では、装置本体１１がポケット１２１ｂ内に保持されている状態を示している。また、図２では、装置本体１１を覆うホルダ１２ｂの表面の部材の図示を省略している。
【００２７】
ホルダ１２ｃは、無線通信が可能なＩＣカード３０を挿入する有底のポケット（カード収納部）１２１ｃを有している。ＩＣカード３０が挿入口１２２ｃから図２に示す挿入方向に従ってポケット１２１ｃに（好ましくは底部１２３ｃまで）挿入されることで、ＩＣカード３０がポケット１２１ｃ内に保持される。なお、図２では、ＩＣカード３０がポケット１２１ｃ内に保持されている状態を示している。また、図２では、ＩＣカード３０を覆うホルダ１２ｃの部材の図示を省略している。
【００２８】
ポケット１２１ｃに挿入されるＩＣカード３０は、アンテナ３１と制御部３２とメモリ３３とを有している。
制御部３２は、制御回路１００から電力の供給を受けて動作する。具体的には、制御回路１００から電力が供給されると、メモリ３３に記憶されている情報を、アンテナ３１を介して制御回路１００に送信する。
【００２９】
導電部１３は、導電性を有するスナップ（第１の係合部材）１３ａ、１３ｂと、これらスナップ１３ａ、１３ｂを電気的に接続する導線１３ｃとを有している。
スナップ１３ａ、１３ｂは、それぞれ、スナップ１１ａ、１１ｂと係合するための凸部１３１ａ、１３１ｂを有している。これらスナップ１１ａ、１１ｂ、１３ａ、１３ｂが固定部の主要部を形成している。また、導電部１３、スナップ１１ａ、１１ｂ、電源１１ｃが駆動部の主要部を形成している。
【００３０】
スナップ１３ａは、利用者が、折り目１２１ａを介してケース１２を折り畳んだときに、スナップ１１ａに対応する箇所に位置するようになっている。また、スナップ１３ｂは、利用者が、折り目１２１ａを介してケース１２を折り畳んだときに、スナップ１１ｂに対応する箇所に位置するようになっている。
【００３１】
なお、図示していないが、端末装置１０は、ケース１２に孔部が設けられ、その孔部に紐等を通すことにより利用者の首から掛けられるようになっていてもよい。また、端末装置１０は、例えば、ネームプレートのように、ピン等により利用者の服に固定できるようになっていてもよい。
【００３２】
次に、制御回路１００が有する機能を説明する。
図３は、制御回路のハードウェア構成例を示す図である。
制御回路１００は、ＣＰＵ（Central Processing Unit）１０１によって装置全体が制御されている。ＣＰＵ１０１には、バス１０８を介してＲＡＭ（Random Access Memory）１０２、ＲＯＭ（Read Only Memory）１０３、グラフィック処理装置１０４、バイブレータ１０５、スピーカ１０６、および、通信インタフェース１０７が接続されている。
【００３３】
ＲＡＭ１０２には、ＣＰＵ１０１に実行させるアプリケーションプログラムの少なくとも一部が一時的に格納される。また、ＲＡＭ１０２には、ＣＰＵ１０１による処理に必要な各種データが格納される。ＲＯＭ１０３には、アプリケーションプログラム等が格納される。また、ＲＯＭ１０３内には、プログラムファイルが格納される。
【００３４】
グラフィック処理装置１０４には、電子ペーパー１０４ａが接続されている。グラフィック処理装置１０４は、ＣＰＵ１０１からの命令に従って、画像を電子ペーパー１０４ａ上に表示させる。
【００３５】
バイブレータ１０５は、ＣＰＵ１０１からの命令に従って、振動する。
スピーカ１０６は、ＣＰＵ１０１からの命令に従って、例えば、音声を出力する。
通信インタフェース１０７は、ネットワーク４０に接続されている。通信インタフェース１０７は、ネットワーク４０を介して、サーバ装置２０との間でデータの送受信を行う。
【００３６】
以上のようなハードウェア構成によって、本実施の形態の処理機能を実現することができる。なお、バイブレータ１０５およびスピーカ１０６は、省略されていてもよい。このようなハードウェア構成の制御回路１００内には、以下のような機能が設けられる。
【００３７】
図４は、制御回路の機能を示すブロック図である。
制御回路１００は、ネットワーク４０を介してサーバ装置２０に接続されている。
制御回路１００は、サーバ装置２０からサービスデータ１５０ａやユーザインタフェースプログラム１５０ｂ（以下、「ＵＩプログラム」と記載する）をダウンロードし、電子ペーパー１０４ａへＵＩ画面を表示する機能を有している。
【００３８】
電源１１ｃは、スナップ１１ａとスナップ１３ａが係合し、スナップ１１ｂとスナップ１３ｂが係合することによって導線が導通状態になると、制御回路１００に対して電力を供給する。
【００３９】
制御回路１００は、管理部１１０と記憶媒体読込部１２０と表示制御部１３０と通信部１４０と記憶部１５０とを備えている。
管理部１１０は、記憶部１５０に記憶されているプログラムを読み込んで実行したり、制御回路１００が有する各種デバイスの制御を行ったりする。
【００４０】
記憶媒体読込部１２０は、制御回路１００に挿入されたＩＣカード３０から識別情報を読み込み、読み込んだ識別情報を管理部１１０に渡す。
なお、記憶媒体読込部１２０は、非接触型の読み取りによってＩＣカード３０から識別情報を読み込むが、接触型の読み取りを行うように構成してもよい。また、ＩＣカード３０をＲＦＩＤタグとした場合には、この記憶媒体読込部１２０はＲＦ−ＲＷ（リーダライタ）を有していてもよい。
【００４１】
表示制御部１３０は、管理部１１０が実行するＵＩプログラム１５０ｂの指示によって電子ペーパー１０４ａにユーザインタフェース画面を表示させる。
通信部１４０は、管理部１１０上で動作するＵＩプログラム１５０ｂあるいはオペレーションプログラム１５０ｃの指示に基づき、サーバ装置２０との間で無線通信を行う。
【００４２】
記憶部１５０は、不揮発性メモリを有し、サーバ装置２０から受け取ったサービスデータ１５０ａおよびＵＩプログラム１５０ｂや、予め記憶されたオペレーションプログラム１５０ｃおよびデバイスドライバ１５０ｄを記憶する。
【００４３】
サービスデータ１５０ａは、ＵＩプログラム１５０ｂを介して電子ペーパー１０４ａに表示されるデータであり、サーバ装置２０のサービスデータＤＢ（データベース）２４からダウンロードされる。
【００４４】
ＵＩプログラム１５０ｂは、電子ペーパー１０４ａにＵＩ画面を表示させる処理を行うプログラムであり、管理部１１０に読み込まれたオペレーションプログラム１５０ｃ上で動作する。そして、このＵＩプログラム１５０ｂは、サーバ装置２０のＵＩプログラムＤＢ（データベース）２３からダウンロードされる。
【００４５】
オペレーションプログラム１５０ｃは、管理部１１０に読み込まれて制御回路１００が有する各機能を制御する処理を行うプログラムである。
デバイスドライバ１５０ｄは、制御回路１００が有する各種デバイスとオペレーションプログラム１５０ｃとの間で行われるデータ変換を行うプログラムである。なお、オペレーションプログラム１５０ｃおよびデバイスドライバ１５０ｄは、制御回路１００の製造時やメンテナンス時に記憶部１５０に記憶される。
【００４６】
なお、本実施の形態では、記憶部１５０が不揮発性メモリを有する場合について示したが、制御回路１００の電源がＯＮである間だけ必要となるサービスデータ１５０ａおよびＵＩプログラム１５０ｂを揮発性メモリに格納し、オペレーションプログラム１５０ｃおよびデバイスドライバ１５０ｄを不揮発性メモリに格納するように構成してもよい。
【００４７】
サーバ装置２０は、制御回路１００から受け取った識別情報に対応するサービスデータあるいはＵＩプログラムを、それぞれ、サービスデータＤＢ２４あるいはＵＩプログラムＤＢ２３を検索することによって抽出し、抽出したサービスデータあるいはＵＩプログラムを制御回路１００に対して応答する装置である。
【００４８】
サーバ装置２０は、ＵＩプログラムＤＢ２３およびサービスデータＤＢ２４に接続されている。なお、ＵＩプログラムＤＢ２３およびサービスデータＤＢ２４をサーバ装置２０が有していてもよい。
【００４９】
サーバ装置２０は、検索部２１と、通信部２２とを有している。
検索部２１は、通信部２２を介して制御回路１００から受け取った識別情報に基づき、この識別情報に対応するサービスデータあるいはＵＩプログラムを、サービスデータＤＢ２４あるいはＵＩプログラムＤＢ２３から検索する。
【００５０】
通信部２２は、制御回路１００から識別情報、終了通知などのメッセージ等を受信するとともに、検索部２１が検索したサービスデータあるいはＵＩプログラムを制御回路１００に対して送信する。
【００５１】
次に、制御回路１００の動作を説明する。
図５は、制御回路の動作を示すフローチャートである。
[ステップＳ１]
制御回路１００は、電源ＯＮ（駆動電圧）を検出したか否かを判断する。電源ＯＮを検出していない場合（ステップＳ１のＮｏ）、ステップＳ１に遷移する。電源ＯＮを検出した場合（ステップＳ１のＹｅｓ）、ステップＳ２に遷移する。
【００５２】
[ステップＳ２]
制御回路１００は、アンテナ１１ｄを通じてＩＣカード３０に記憶されている情報を読み取る。その後、ステップＳ３に遷移する。
【００５３】
[ステップＳ３]
制御回路１００は、ＩＣカード３０に記憶されている情報を取得できたか否かを判断する。取得できなかった場合（ステップＳ３のＮｏ）、ステップＳ４に遷移する。
取得できた場合（ステップＳ３のＹｅｓ）、ステップＳ５に遷移する。
【００５４】
[ステップＳ４]
制御回路１００は、ＩＣカード３０が未挿入であることを電子ペーパー１０４ａに表示させる。その後、ステップＳ２に遷移する。
【００５５】
[ステップＳ５]
制御回路１００は、取得した情報をサーバ装置２０に送信する。その後、ステップＳ６に遷移する。
【００５６】
[ステップＳ６]
制御回路１００は、サーバ装置２０からの情報を待機し、サーバ装置２０との間で必要な情報を送受信する。その後、ステップＳ７に遷移する。
【００５７】
[ステップＳ７]
制御回路１００は、電源ＯＦＦを検出したか否かを判断する。電源ＯＦＦを検出した場合（ステップＳ７のＹｅｓ）、処理を終了する。電源ＯＦＦを検出していない場合（ステップＳ７のＮｏ）、ステップＳ６に遷移する。
【００５８】
以上で制御回路１００の動作の説明を終了する。
次に、端末装置１０を病院の患者の診察の管理に用いる場合を例にとって説明する。
例えば、利用者が病院の窓口に診察券を提示すると、窓口では、この利用者に対して端末装置１０を貸し出すという利用形態をとる。
【００５９】
なお、ＩＣカード３０は、表面に患者名、患者ＩＤ等が印刷され、診察券としての役割をも有するようになっていてもよい。この場合、利用者が病院の窓口にＩＣカード３０を提示する。
【００６０】
図６および図７は、制御回路を起動するときの動作を示す図である。
端末装置１０を貸与された利用者は、ＩＣカード３０をポケット１２１ｃに挿入する。
そして、利用者は、折り畳み部１２ａを折り畳んでホルダ１２ｂとホルダ１２ｃとを対向させる。このとき、電子ペーパー１０４ａの表示面は折り畳まれたケース１２の外側から視認可能となる。なお、図６および図７では、表示面を点線の矢印で示している。
【００６１】
なお、図６に示すように、端末装置１０は、ケース１２が折り畳まれたときに、挿入口１２２ｂ、１２２ｃが、折り畳まれた内側に配置されるのが好ましい。これにより、例えば、利用者が前かがみになったとき等に、ＩＣカード３０が誤って離脱することを抑制することができる。
【００６２】
そして、利用者は、スナップ１３ａの凸部１３１ａをスナップ１１ａの凹部１１１ａに係合させて閉じる。また、図７に示すように、スナップ１３ｂの凸部１３１ｂをスナップ１１ｂの凹部１１１ｂに係合させて閉じる。この動作によって、電源１１ｃ、制御回路１００、スナップ１１ｂ、スナップ１３ｂ、導線１３ｃ、スナップ１３ａ、スナップ１１ａ、電源１１ｃの導電路が導通し、制御回路１００に電力が供給される。これにより、制御回路１００が起動する。
【００６３】
つづいて、制御回路１００は、ＩＣカード３０から利用者のＩＤを読み込み、サーバ装置２０から利用者ＩＤに対応するサービスデータ１５０ａおよびＵＩプログラム１５０ｂを取得する。
【００６４】
そして、制御回路１００は、ＵＩプログラム１５０ｂを動作させることによって、利用者に対応するメッセージを電子ペーパー１０４ａに表示させる。このメッセージとしては、例えば、診察までの待ち人数、行き先案内、利用者の診察室等への呼び出し等が挙げられる。
【００６５】
一方、制御回路１００の利用を終えた利用者が、スナップ１１ａとスナップ１３ａの係合およびスナップ１１ｂとスナップ１３ｂの係合を開放すると、制御回路１００への電源の供給が停止される。
【００６６】
利用者が診療を終えた場合には、端末装置１０からＩＣカード３０を抜き取ったうえで端末装置１０を窓口へ返却する。
ところで、ＩＣカード３０がポケット１２１ｂに挿入されない状態で、スナップ１３ａとスナップ１１ａおよびスナップ１３ｂとスナップ１１ｂが閉じられた場合は、導電路が導通し、制御回路１００に電力が供給される。これにより、制御回路１００が起動する。
【００６７】
この場合、制御回路１００は、ＩＣカード３０に記憶された情報を取得できないため、電子ペーパー１０４ａにＩＣカード３０が未挿入である旨を表示する。
また、バイブレータ１０５を用いて振動にてＩＣカード３０が未挿入である旨を報知するようにしてもよい。スピーカ１０６を用いて音声にてＩＣカード３０が未挿入である旨を報知するようにしてもよい。
【００６８】
以上述べたように、端末装置１０によれば、ＩＣカード３０をポケットに挿入して、スナップを閉じるという簡易な動作を行うだけで、制御回路１００に電源を供給することができる。また、ポケット１２１ｂ内でＩＣカード３０の位置がずれても電源のＯＮ／ＯＦＦには影響がない。これにより、電源１１ｃが誤動作により供給されなくなるという現象を抑制し、回路を安定して駆動することができる。この結果、システムの信頼性を高めることができる。
【００６９】
また、ポケット１２１ｂ内でＩＣカード３０の位置がずれても電源のＯＮ／ＯＦＦには影響がないので、ＩＣカード３０の保持機構を簡易なものとすることができる。
また、電源のＯＮ／ＯＦＦをスナップの係合・離脱動作によって行うため、制御回路１００は、利用者の意志により電源がＯＮ／ＯＦＦされたか否かを容易に判断することができる。
【００７０】
また、本実施の形態では、係合部材としてスナップ１１ａ、１１ｂ、１３ａ、１３ｂを用いたが、制御回路１００の終端を導通させるものであれば特に限定されず、例えば、ピンや、ネジ止め、ファスナー、磁石の吸着、フック、その他各種係合手段、嵌合手段等、いかなる構成のものでもよい。以下、変形例として磁石の吸着を用いた場合を説明する。
【００７１】
＜変形例＞
次に、端末装置の変形例について説明する。
図８および図９は、端末装置の変形例を示す図である。
【００７２】
図８に示す端末装置１０ａは、固定部の構成が異なり、それ以外は端末装置１０と同様である。
装置本体１１１は、スナップ１１ａ、１１ｂの代わりに、導電性を有する電極（被吸着体）１１ｅ、１１ｆを有している。
【００７３】
また、端末装置１０ａの導電部１３は、スナップ１３ａ、１３ｂの代わりに、導電性を有する円柱状の導電材１３ｄ、１３ｅを有している。さらに、導電材１３ｄの紙面奥側には、円柱状の磁石１３ｆが配置されている。また、導電材１３ｅの紙面奥側には、円柱状の磁石１３ｇが配置されている。
【００７４】
この磁石１３ｆ、１３ｇの表面積は、導電材１３ｄ、１３ｅと同じか、または、導電材１３ｄ、１３ｅよりも小さい。
導電材１３ｄは、利用者が、折り目１２１ａを介してケース１２を折り畳んだときに、電極１１ｅに対応する箇所に位置するようになっている。また、導電材１３ｅは、利用者が、折り目１２１ａを介してケース１２を折り畳んだときに、電極１１ｆに対応する箇所に位置するようになっている。
【００７５】
磁石１３ｆの磁力によって電極１１ｅが磁石１３ｆに引きつけられることにより、電極１１ｅが導電材１３ｄに電気的に接続される。また、磁石１３ｇの磁力により、電極１１ｆが磁石１３ｇに引きつけられることにより、電極１１ｆが導電材１３ｅに電気的に接続される。結果、電源１１ｃ、制御回路１００、電極１１ｆ、導電材１３ｅ、導線１３ｃ、導電材１３ｄ、電極１１ｅ、電源１１ｃの導電路が導通し、制御回路１００に電力が供給される。これにより、制御回路１００が起動する。
【００７６】
この変形例の端末装置１０ａによれば、端末装置１０と同様の効果が得られる。
なお、本実施の形態では、制御回路１００は、ＩＣカード３０に接触せずにデータ読み取りを行うようにしたが、これに限らず、接点を有するＩＣカードを用い、制御回路１００が、かかる接点を介してデータ読み取りを行うこととしてもよい。また、ＩＣカード３０がＲＦＩＤ（Radio Frequency Identification）タグを有しており、制御回路１００が、ＲＦＩＤタグのリーダ／ライタRF-RW）を有しており、ＲＦＩＤタグに記憶された情報を読み出し、または、ＲＦＩＤタグに情報を書き込むようにしてもよい。
【００７７】
また、本実施の形態では、表示手段として電子ペーパー１０４ａを用いたが、これに限らず、他の表示手段、例えば、タッチパネル付きの液晶ディスプレイを用いるようにしてもよい。
【００７８】
液晶ディスプレイを使用する場合、表示制御部１３０からの指示に基づき、メッセージや操作ボタンを含むユーザインタフェース画面を表示するとともに、利用者によって操作ボタンが操作された場合には、かかる操作情報を表示制御部１３０に対して通知する処理を行うようにしてもよい。
【００７９】
また、本発明は、固定部の固定により制御回路１００を駆動させるものであればよく、本実施の形態のように固定部自体が導電性を有し、短絡により制御回路１００を駆動させるものに限定されない。
【００８０】
以上、本発明の端末装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００８１】
また、本発明は、前述した実施の形態のうちの、任意の２以上の構成（特徴）を組み合わせたものであってもよい。
【符号の説明】
【００８２】
１０、１０ａ  端末装置
１１、１１１  装置本体
１１ａ、１１ｂ、１３ａ、１３ｂ  スナップ
１１ｃ  電源
１１ｄ、３１  アンテナ
１１ｅ、１１ｆ  電極
１１１ａ、１１１ｂ  凹部
１２  ケース
１２ａ  折り畳み部
１２ｂ、１２ｃ  ホルダ
１２１ａ  折り目
１２１ｂ、１２１ｃ  ポケット
１２２ｂ、１２２ｃ  挿入口
１２３ｃ  底部
１３  導電部
１３ｃ  導線
１３ｄ、１３ｅ  導電材
１３ｆ、１３ｇ  磁石
１３１ａ、１３１ｂ  凸部
２０  サーバ装置
２１  検索部
２２  通信部
３０  ＩＣカード
３２  制御部
３３  メモリ
１００  制御回路
１０４ａ  電子ペーパー
１１０  管理部
１２０  記憶媒体読込部
１３０  表示制御部
１４０  通信部
１５０  記憶部
１５０ａ  サービスデータ
１５０ｂ  ＵＩプログラム
１５０ｃ  オペレーションプログラム
１５０ｄ  デバイスドライバ
【図１】
2011113131.tif 000003
【図２】
2011113131.tif 000004
【図３】
2011113131.tif 000005
【図４】
2011113131.tif 000006
【図５】
2011113131.tif 000007
【図６】
2011113131.tif 000008
【図７】
2011113131.tif 000009
【図８】
2011113131.tif 000010
【図９】
2011113131.tif 000011